(57)【特許請求の範囲】
【請求項１】
フィルタテープと、このフィルタテープがロール状に巻回される供給リールと、この供給リールから送りだされたフィルタテープを巻き取る巻取リールと、前記フィルタテープに浮遊状粒子物質を捕集させて測定スポットを形成するための捕集部と、前記測定スポットに上に捕集された浮遊状粒子物質を測定するための測定部とを備え、少なくとも数日間にわたって一つのフィルタテープに連続的に多数の測定スポットを形成し、各測定スポットについて測定を行い、測定に使用された部分から順次前記巻取リールによって巻き取って管理する浮遊粒子状物質濃度測定装置であって、前記巻取リールによってフィルタテープを定期的に一定の長さだけ巻き取るとともに、一日の最後の測定を行った後には、前記巻取リールによってフィルタテープを通常より長く巻き取り、これによって形成される測定スポット間のスペースに、測定日の日付を印字するように構成したことを特徴とする浮遊粒子状物質濃度測定装置。
【請求項２】
前記スペースに、一日の測定値の最大値，最小値および平均値のうち少なくともいずれか一つを印字する請求項１に記載の浮遊粒子状物質濃度測定装置。
【請求項３】
前記各測定スポットの間に形成されるスペースに、各測定スポットに対応する測定時刻を印字する請求項１または２に記載の浮遊粒子状物質濃度測定装置。
【請求項４】
フィルタテープと、このフィルタテープがロール状に巻回される供給リールと、この供給リールから送りだされたフィルタテープを巻き取る巻取リールと、前記フィルタテープに浮遊状粒子物質を捕集させて測定スポットを形成するための捕集部と、前記測定スポットに上に捕集された浮遊状粒子物質を測定するための測定部とを備え、少なくとも数日間にわたって一つのフィルタテープに連続的に多数の測定スポットを形成し、各測定スポットについて測定を行う浮遊粒子状物質濃度測定装置に用いるフィルタテープの管理方法であって、前記巻取リールによってフィルタテープを定期的に一定間隔の長さだけ巻き取るとともに、前記フィルタテープにおける一日の最後の測定に用いられた測定スポットと次の日の最初の測定に用いられる測定スポットとの間には、通常の測定スポット間の面積より広い面積を有するスペースを設けておき、このスペースに測定日の日付を印字することを特徴とする浮遊粒子状物質濃度測定装置に用いるフィルタテープの管理方法。
【請求項５】
前記スペースに、一日の測定値の最大値，最小値および平均値のうち少なくともいずれか一つを印字する請求項４に記載の浮遊粒子状物質濃度測定装置に用いるフィルタテープの管理方法。
【請求項６】
前記各測定スポットの間に形成されるスペースに、各測定スポットに対応する測定時刻を印字する請求項４または５に記載の浮遊粒子状物質濃度測定装置に用いるフィルタテープの管理方法。
【発明の詳細な説明】
【０００１】
【発明の属する技術分野】
本発明は、例えば、大気中の浮遊粒子状物質を測定するための浮遊粒子状物質濃度測定装置およびこの装置に用いるフィルタテープの管理方法に関する。
【０００２】
【従来の技術】
大気中の浮遊粒子状物質（Ｓｕｓｐｅｎｄｅｄ  Ｐａｒｔｉｃｕｌａｔｅ  Ｍａｔｔｅｒ：ＳＰＭ）による健康障害が心配されており、ＳＰＭを測定できる従来の浮遊粒子状物質濃度測定装置として、約４０ｍのフィルタテープと、このフィルタテープがロール状に巻回される供給リールと、この供給リールから送りだされたフィルタテープを巻き取る巻取リールと、前記フィルタテープに浮遊状粒子物質を捕集させて測定スポットを形成するための捕集部と、前記測定スポットに上に捕集された浮遊状粒子物質を測定するための測定部とを備えたものがある。
【０００３】
そして、上記浮遊粒子状物質濃度測定装置では、例えば一回の測定時間が一時間であり、一回の測定が終わると、前記フィルタテープを一定間隔（約３５ｍｍ）送り、次の測定スポットに前記物質を捕集して測定を行うのである。また、前記測定は連続的に行われ、一日では２４の測定スポットが形成され、２４回の測定がなされるのであり、通常は、前記フィルタテープがなくなるまで、数日間から数十日間にわたって連続的に測定が行われていた。
【０００４】
【発明が解決しようとする課題】
しかし、上記従来の浮遊粒子状物質濃度測定装置では、一つのフィルタテープに多数の測定スポットが形成されることになるため、浮遊粒子状物質を捕集させた後の測定スポットを確認等する際、所定のスポットがいつ測定されたものであるかを特定するのが非常に困難であるという問題があった。
【０００５】
本発明は上述の事柄に留意してなされたもので、その目的は、測定スポットの確認時などに、測定スポットがいつ測定されたものであるのかを容易にかつ短時間で特定することができる浮遊粒子状物質濃度測定装置およびこの装置に用いるフィルタテープの管理方法を提供することである。
【０００６】
【課題を解決するための手段】
上記目的を達成するために、本発明の浮遊粒子状物質濃度測定装置は、フィルタテープと、このフィルタテープがロール状に巻回される供給リールと、この供給リールから送りだされたフィルタテープを巻き取る巻取リールと、前記フィルタテープに浮遊状粒子物質を捕集させて測定スポットを形成するための捕集部と、前記測定スポットに上に捕集された浮遊状粒子物質を測定するための測定部とを備え、少なくとも数日間にわたって一つのフィルタテープに連続的に多数の測定スポットを形成し、各測定スポットについて測定を行い、測定に使用された部分から順次前記巻取リールによって巻き取って管理する浮遊粒子状物質濃度測定装置であって、前記巻取リールによってフィルタテープを定期的に一定の長さだけ巻き取るとともに、一日の最後の測定を行った後には、前記巻取リールによってフィルタテープを通常より長く巻き取り、これによって形成される測定スポット間のスペースに、測定日の日付を印字するように構成した（請求項１）。
【０００７】
上記の構成により、測定スポットの確認時などに、測定スポットがいつ測定されたものであるのかを容易にかつ短時間で特定することができる浮遊粒子状物質濃度測定装置およびこの装置に用いるフィルタテープの管理方法を提供することが可能となる。
【０００８】
また、前記スペースに、一日の測定値の最大値，最小値および平均値のうち少なくともいずれか一つを印字するとしてもよい（請求項２）。
【０００９】
さらに、前記各測定スポットの間に形成されるスペースに、各測定スポットに対応する測定時刻を印字するとしてもよく（請求項３）、この場合には、測定スポットの確認時などに、前記測定日の日付に加えて各測定スポットに対応する測定時刻を手掛かりにすることができ、測定スポットがいつ測定されたものであるのかをより容易にかつ短時間で特定することが可能となる。
【００１０】
本発明の浮遊粒子状物質濃度測定装置に用いるフィルタテープの管理方法は、フィルタテープと、このフィルタテープがロール状に巻回される供給リールと、この供給リールから送りだされたフィルタテープを巻き取る巻取リールと、前記フィルタテープに浮遊状粒子物質を捕集させて測定スポットを形成するための捕集部と、前記測定スポットに上に捕集された浮遊状粒子物質を測定するための測定部とを備え、少なくとも数日間にわたって一つのフィルタテープに連続的に多数の測定スポットを形成し、各測定スポットについて測定を行う浮遊粒子状物質濃度測定装置に用いるフィルタテープの管理方法であって、前記巻取リールによってフィルタテープを定期的に一定間隔の長さだけ巻き取るとともに、前記フィルタテープにおける一日の最後の測定に用いられた測定スポットと次の日の最初の測定に用いられる測定スポットとの間には、通常の測定スポット間の面積より広い面積を有するスペースを設けておき、このスペースに測定日の日付を印字する（請求項４）。
【００１１】
上記の構成により、測定スポットの確認時などに、測定スポットがいつ測定されたものであるのかを容易にかつ短時間で特定することができる浮遊粒子状物質濃度測定装置に用いるフィルタテープの管理方法を提供することが可能となる。
【００１２】
また、前記スペースに、一日の測定値の最大値，最小値および平均値のうち少なくともいずれか一つを印字するとしてもよい（請求項５）。
【００１３】
さらに、前記各測定スポットの間に形成されるスペースに、各測定スポットに対応する測定時刻を印字するとしてもよく（請求項６）、この場合には、測定スポットの確認時などに、前記測定日の日付に加えて各測定スポットに対応する測定時刻を手掛かりにすることができ、測定スポットがいつ測定されたものであるのかをより容易にかつ短時間で特定することが可能となる。
【００１４】
【発明の実施の形態】
以下、本発明の実施の形態を、図面を参照しながら説明する。
図１は、本発明の一実施例に係る浮遊粒子状物質濃度測定装置（以下、測定装置という）Ｄの構成を概略的に示す説明図である。
測定装置Ｄは、例えば、大気中の浮遊粒子状物質（Ｓｕｓｐｅｎｄｅｄ  Ｐａｒｔｉｃｕｌａｔｅ  Ｍａｔｔｅｒ：ＳＰＭ）を測定して大気汚染を監視するためのものであり、フィルタテープ１と、このフィルタテープ１がロール状に巻回される供給リール２と、この供給リール２から送りだされたフィルタテープ１を巻き取る巻取リール３と、前記フィルタテープ１に浮遊状粒子物質を捕集させて測定スポット４（図２参照）を形成するための捕集部５と、前記測定スポット４に上に捕集された浮遊状粒子物質を測定するための測定部６とを備えており、前記捕集部５および測定部６は、チャンバ７内に収容されている。
【００１５】
前記フィルタテープ１は、例えば、長さが約４０ｍのろ紙テープなどからなり、前記供給リール２から巻取リール３へと送られる間に、供給リール２側から順に、搬送センサ付きリール８，前記チャンバ７，プリンタ付きリール９を経るように構成されている。
【００１６】
前記捕集部５の上流側にはサイクロン１０が、また、下流側には真空ポンプなどのサンプリングポンプ（図示せず）がそれぞれ設けられており、サンプリングポンプの吸引によって大気がサイクロン１０内へと導入され、サイクロン１０の働きによって浮遊粒子状物質の濃度が高められた大気が捕集部５へと送られることになる。
【００１７】
また、前記捕集部５は前記フィルタテープ１の上面側に配置されており、捕集部５へと至った大気は、前記サンプリングポンプによって、フィルタテープ１をその上面側から下面側へと通過するように構成されている。そして、フィルタテープ１に対する大気の通過が一定時間（例えば、一時間）行われることにより、前記測定スポット４がフィルタテープ１に形成されるのである。
【００１８】
前記測定部６は、前記フィルタテープ１に対してその下面側から光を照射する光源（図示せず）と、この光源から照射され、フィルタテープ１を透過した光を検出する検出器（図示せず）とからなる。なお、前記光源は、例えば、β線を照射するβ線源であり、フィルタテープ１の下面側に配置されている。また、前記検出器は、フィルタテープ１の上面側に配置されている。
【００１９】
そして、前記測定部６において行われた測定の結果は、表示部１１に表示される。
【００２０】
前記チャンバ７は、前記フィルタテープ１の上面側に配置される上層部７ａと、下面側に配置される下層部７ｂとからなり、上層部７ａ内には、前記捕集部５，測定部６の検出器が収容されており、下層部７ｂ内には、前記サンプリングポンプ，測定部６の光源が収容されている。
【００２１】
前記搬送センサ付きリール８は、フィルタテープ１が一定の長さだけ巻き取られたことを検知する搬送センサ８ａを有している。
【００２２】
前記プリンタ付きリール９は、制御部からの信号に基づき、フィルタテープ１に対して、測定日、測定時刻、測定値等の所定の事項を印字するためのプリンタ９ａを有している。
【００２３】
次に、上記の構成からなる測定装置Ｄの動作について説明する。
前記測定装置Ｄの測定に関する基本動作は、前記供給リール２にセットされた浮遊粒子状物質を吸着する前のロール状のフィルタテープ１が、供給リール２から一定時間（例えば、一時間）の測定毎に一定長さだけ送りだされ、送りだされたフィルタテープ１に対して捕集部５において浮遊粒子状物質を吸着させて測定スポット４を形成し、その後、測定部６において測定スポット４を測定に使用するのであり、フィルタテープ１は、測定スポット４が形成されたのち、測定に使用された部分から、順次巻取リール３によって巻き取られていくものである。
【００２４】
詳しくは、まず、前記巻取リール３によるフィルタテープ１の巻き取りを開始し、フィルタテープ１が一定の長さだけ巻き取られたことを搬送センサ付きリール８の搬送センサ８ａが検知すると、その信号が図示しない制御部に送られ、制御部からの信号によって巻取リール３によるフィルタテープ１の巻き取りが停止する。このような巻取リール３によるフィルタテープ１の巻き取りは、定期的（例えば、一時間毎）に繰り返し行われることになる。
【００２５】
そして、フィルタテープ１の巻き取りが停止した状態では、上述したように、サンプリングポンプの吸引によって、浮遊粒子状物質を含む大気が、サイクロン１０，捕集部５を経てフィルタテープ１をその上面側から下面側へと通過するように誘導され、これによって前記測定スポット４がフィルタテープ１に形成されることになる。
【００２６】
上記のように捕集部５において形成された測定スポット４は、巻取リール３によるフィルタテープ１の巻き取りにより、前記測定部６へと移動することになる。そして、この測定部６では、測定スポット４に対して前記光源からβ線が照射され、測定スポット４を透過したβ線が検出器によって検出される。なお、浮遊粒子状物質の濃度は、前記測定スポット４を透過したβ線の強度に基づいて算出することができる。
【００２７】
上記のように測定がなされた測定スポット４は、巻取リール３によるフィルタテープ１の巻き取りにより、前記プリンタ付きリール９を経た後に、巻取リール３に巻き取られることになる。
【００２８】
そして、本発明の測定装置Ｄでは、前記測定が数日間または数十日から数カ月にわたって連続的に行われるのであるが、一日（毎日）の最後（２３：００〜２４：００）の測定を行った後には、前記巻取リール３によってフィルタテープ１を通常より長く、例えば、通常の二倍の長さだけ巻き取り、これによって形成されるフィルタテープ１上のスペースＳに、測定日の日付１２、すなわち、例えば、西暦年月日を印字するようにしてある。なお、前記日付１２の表示方法は種々のものを採用でき、西暦年の四桁を全て表示せずに、その下二桁のみを表示してもよく、また、西暦に代えて年号（元号）を用いてもよく、また、日付１２として表示する内容に、西暦年月日に合わせて曜日を加えてもよい。
【００２９】
本発明の浮遊粒子状物質濃度測定装置に用いるフィルタテープの管理方法（以下、管理方法という）は、フィルタテープ１と、このフィルタテープ１がロール状に巻回される供給リール２と、この供給リール２から送りだされたフィルタテープ１を巻き取る巻取リール３と、前記フィルタテープ１に浮遊状粒子物質を捕集させて測定スポット４を形成するための捕集部５と、前記測定スポット４に上に捕集された浮遊状粒子物質を測定するための測定部６とを備えた浮遊粒子状物質濃度測定装置に用いるフィルタテープ１の管理方法であって、前記フィルタテープ１における一日の最後の測定に用いられた測定スポット４と次の日の最初の測定に用いられる測定スポット４との間に、通常の測定スポット４，４間の面積より広い面積（例えば、測定スポットの面積とほぼ同じ程度の面積）を有するスペースＳを設けておき、このスペースＳに測定日の日付１２を印字するものである。そして、前記管理方法は、前記測定装置Ｄを用いることによって実現される。
【００３０】
上記の構成からなる測定装置Ｄおよび管理方法では、測定スポット４の確認時などに、前記測定日の日付１２を手掛かりとして、例えば、４０ｍもの長さを有する巻状のフィルタテープ１に形成されたそれぞれの測定スポット４がいつ測定されたものであるのかを容易にかつ短時間で特定することができる。
【００３１】
上記測定装置Ｄおよび管理方法では、前記スペースＳに測定日の日付１２のみを印字しているが、このような構成に限るものではなく、図３（Ａ）に示すように、前記スペースＳに、測定日の日付１２に加えて、一日（測定日）の測定値の最大値１３ａ，最小値１３ｂおよび平均値１３ｃのうち少なくともいずれか一つを印字するようにしてもよい。このとき、前記最大値１３ａ，最小値１３ｂおよび平均値１３ｃを、例えば、μｇ／ｍ3 などの単位とともに表示してもよいが、単位を略して表示してもよい。
【００３２】
また、図３（Ｂ）に示すように、前記スペースＳに対する測定日の日付１２の印字に加えて、各測定スポット４，４の間に形成されるスペースＳ’に、各測定スポット４に対応する測定時刻１４を印字するようにしてもよい。この場合には、測定スポット４の確認時などに、前記測定日の日付１２に加えて各測定スポット４に対応する測定時刻１４を手掛かりにすることができ、測定スポット４がいつ測定されたものであるのかをより容易にかつ短時間で特定することが可能となる。なお、前記測定時刻１４は、例えば、測定の開始時刻と終了時刻とを××：××〜××：××というような形式で表示してもよいし、測定の開始時刻のみまたは終了時刻のみを表示してもよいし、測定の開始時刻または終了時刻のいずれか一方と、測定に要した時間とを並べて表示してもよい。また、この場合、測定スポット毎に測定結果を印字するようにしてもよい。さらに、本装置の入力部（図示せず）を用いて、上記印字項目を適宜設定できるように構成してもよい。
【００３３】
【発明の効果】
以上説明したように、本発明によれば、測定スポットの確認時などに、測定スポットがいつ測定されたものであるのかを容易にかつ短時間で特定することができる浮遊粒子状物質濃度測定装置およびこの装置に用いるフィルタテープの管理方法を提供することが可能となる。
【図面の簡単な説明】
【図１】  本発明の一実施例に係る浮遊粒子状物質濃度測定装置の構成を概略的に示す説明図である。
【図２】  上記実施例における要部の構成を概略的に示す説明図である。
【図３】  （Ａ）および（Ｂ）は、上記要部の変形例および他の変形例の構成を概略的に示す説明図である。
【符号の説明】
１…フィルタテープ、２…供給リール、３…巻取リール、４…測定スポット、５…捕集部、６…測定部、１２…日付、Ｄ…浮遊粒子状物質濃度測定装置、Ｓ…スペース。
【図１】
0003790458.tif 000002
【図２】
0003790458.tif 000003
【図３】
0003790458.tif 000004